(57)【要約】  ＰＤＣＣＨを通じて効率的に制御情報を送受信する方法が開始される。すなわち、ユーザ器機（ＵＥ）がダウンリンク制御チャンネル（Physical Downlink Control Channel：ＰＤＣＣＨ)を通じて制御情報を受信する際に、制御情報を特定サブフレームの所定開始位置を有する探索空間（Search Space）単位でデコーディングするように設定し、この所定開始位置として、入力値に、あらかじめ定められた第１定数値（Ｄ）によるモジュロ演算を行った第１結果値を算定し、該算定された第１結果値に、前記所定開始位置として可能な候補開始位置の個数に該当する第１変数値（Ｃ）によるモジュロ演算を行った第２結果値に対応するインデックス位置を用いることによって、複数のＵＥが衝突なしで効率的にＰＤＣＣＨを受信することができる。【選択図】図４
2011512769.tif 000002
【特許請求の範囲】
【請求項１】
ユーザ機器がダウンリンク制御チャネルを通じて制御情報を受信する方法であって、
基地局から、特定サブフレームの制御領域内の少なくとも一つの制御チャネル要素を含むＣＣＥ集合単位で前記ダウンリンク制御チャネルを通じて伝送された制御情報を受信する段階と、
前記受信した制御情報を、前記特定サブフレーム内の探索空間単位でデコーディングする段階と、を含み、
入力値にあらかじめ決定された第２定数値（Ａ）を乗算した後、あらかじめ決定された第３定数値（Ｂ）を加算した値に、第１定数値（Ｄ）によるモジュロ演算を行って第１結果値を算定し、
数式
【数１】
2011512769.tif 000024
によってあらかじめ決定された第１変数値（Ｃ）によるモジュロ演算を、前記算定した第１結果値に対応するインデックスに行った第２結果値を算定し、
ＮCCEは前記特定サブフレーム中のＣＣＥの総個数を表し、ＬCCEは前記ＣＣＥ集合に含まれたＣＣＥの個数を表し、floor(x)はｘ以下の最大の整数を表し、
前記探索空間は、前記第２結果値に対応するインデックス位置で開始する、制御情報受信方法。
【請求項２】
前記第１定数値（Ｄ）は、前記第１変数値（Ｃ）よりも大きい値にあらかじめ決定されている、請求項１に記載の制御情報受信方法。
【請求項３】
「ｋ＋１」番目のサブフレームに対する前記入力値は、「ｋ」番目のサブフレームに対する前記第１結果値に該当し、ｋは負でない整数である、請求項１に記載の制御情報受信方法。
【請求項４】
最初のサブフレームに対する前記入力値は、前記ユーザ機器の識別情報値を用いる、請求項１に記載の制御情報受信方法。
【請求項５】
前記第１定数値（Ｄ）、前記第２定数値（Ａ）及び前記第３定数値（Ｂ）は、それぞれ、６５５３７、３９８２７及び０である、請求項４に記載の制御情報受信方法。
【請求項６】
前記特定サブフレームは「ｋ」番目のサブフレームであり、前記第１定数値を「Ｄ」、前記第１変数値を「Ｃ」とする場合、前記「ｋ」番目のサブフレームにおいて前記探索空間が開始する所定開始位置Ｚkは、数式
【数２】
2011512769.tif 000025
によって決定された値に対応するインデックス位置として設定され、
Ａ及びＢはそれぞれあらかじめ定められた定数値を表し、「ｋ」はサブフレームインデックスを表す、請求項１乃至５のいずれか１項に記載の制御情報受信方法。
【請求項７】
前記第１定数値「Ｄ」は、６５５３７であり、
前記あらかじめ定められた前記定数値「Ａ」及び「Ｂ」は、それぞれ、３９８２７及び０である、請求項６に記載の制御情報受信方法。
【請求項８】
前記数式によって決定された値に対応するインデックス位置は、
前記ＣＣＥ集合単位でインデックスが付与される条件の下に、前記決定された値に対応するインデックスを有するＣＣＥ集合の開始位置に対応する、請求項６に記載の制御情報受信方法。
【請求項９】
基地局がダウンリンク制御チャネルを通じて制御情報を伝送する方法であって、
特定サブフレームの制御領域内の少なくとも一つの制御チャネル要素を含むＣＣＥ集合単位で前記ダウンリンク制御チャネルを通じて特定ユーザ機器に関する制御情報を伝送する段階を含み、
前記特定ユーザ機器に関する制御情報は、前記特定サブフレーム内の探索空間単位で伝送され、
入力値にあらかじめ決定された第２定数値（Ａ）を乗算した後、あらかじめ決定された第３定数値（Ｂ）を加算した値に、第１定数値（Ｄ）によるモジュロ演算を行って第１結果値を算定し、
数式
【数３】
2011512769.tif 000026
によってあらかじめ決定された第１変数値（Ｃ）によるモジュロ演算を、前記算定した第１結果値に対応するインデックスに行った第２結果値を算定し、
ＮCCEは前記特定サブフレーム中のＣＣＥの総個数を表し、ＬCCEは前記ＣＣＥ集合に含まれたＣＣＥの個数を表し、floor(x)はｘ以下の最大の整数を表し、
前記探索空間は、前記第２結果値に対応するインデックス位置で開始する、制御情報伝送方法。
【請求項１０】
前記第１定数値（Ｄ）は、前記第１変数値（Ｃ）よりも大きい値にあらかじめ決定されている、請求項９に記載の制御情報伝送方法。
【請求項１１】
「ｋ＋１」番目のサブフレームに対する前記入力値は、「ｋ」番目のサブフレームに対する前記第１結果値に該当し、「ｋ」は負でない整数である、請求項９に記載の制御情報伝送方法。
【請求項１２】
最初のサブフレームに対する前記入力値は、前記ユーザ機器の識別情報値を用いる、請求項１１に記載の制御情報伝送方法。
【請求項１３】
前記第１定数値（Ｄ）は、６５５３７であり、
前記あらかじめ定められた前記定数値（Ａ）及び（Ｂ）は、それぞれ、３９８２７及び０である、請求項９に記載の制御情報伝送方法。
【請求項１４】
前記特定サブフレームは「ｋ」番目のサブフレームであり、前記第１定数値を「Ｄ」、前記第１変数値を「Ｃ」とする場合、
前記「ｋ」番目のサブフレームにおいて前記探索空間が開始する所定開始位置Ｚkは、数式
【数４】
2011512769.tif 000027
によって決定された値に対応するインデックス位置として設定され、
ＡおよびＢはそれぞれあらかじめ定められた定数値を表し、「ｋ」はサブフレームインデックスを表す、請求項９乃至１３のいずれか１項に記載の制御情報伝送方法。
【請求項１５】
前記第１定数値「Ｄ」は、６５５３７であり、
前記あらかじめ定められた前記定数値「Ａ」及び「Ｂ」は、それぞれ、３９８２７及び０である、請求項１４に記載の制御情報伝送方法。
【請求項１６】
前記数式によって決定された値に対応するインデックス位置は、
前記ＣＣＥ集合単位でインデックスが付与される条件の下に、前記決定された値に対応するインデックスを有するＣＣＥ集合の開始位置に対応する、請求項１４に記載の制御情報伝送方法。
【発明の詳細な説明】
【技術分野】
【０００１】
本説明は、移動通信技術分野に関するもので、特に、効率的にダウンリンク制御チャネル（Physical Downlink Control Channel:ＰＤＣＣＨ）を通じて制御情報を送受信する方法に関する。
【背景技術】
【０００２】
以下の説明は、様々な移動通信方式に適用することができる。ただし、以下では、説明の便宜のために、特に第３世代パートナーシッププロジェクトロングタームエボリューション（Third Generation Partnership Project Long Term Evolution：３ＧＰＰ ＬＴＥ）技術に基づいて説明する。
【０００３】
３ＧＰＰ ＬＴＥは、第３世代パートナーシッププロジェクト（Third Generation Partnership Project：３ＧＰＰ）において将来の技術発展に対処するためにＵＭＴＳ移動局の標準を向上させるためのプロジェクトである。この３ＧＰＰ ＬＴＥは、３ＧＰＰ標準の改善規格であるRelease ８へと進化している。
【０００４】
この３ＧＰＰ ＬＴＥ方式の通信システムでは、実際の信号伝送に用いられる物理層（Physical Layer）においてアップリンク及びダウンリンクに対して様々なチャネルを規定している。例えば、アップリンク物理チャネルには、物理アップリンク共有チャネル（Physical uplink shared channel：ＰＵＳＣＨ）、物理アップリンク制御チャネル（Physical uplink control channel：ＰＵＣＣＨ）、物理ランダムアクセスチャネル（Physical random access channel：ＰＲＡＣＨ）などが規定されており、ダウンリンク物理チャネルには、物理ダウンリンク共有チャネル（Physical downlink shared channel：ＰＤＳＣＨ）、物理マルチキャストチャネル（Physical multicast channel：ＰＭＣＨ）、物理ブロードキャストチャネル（Physical broadcast channel：ＰＢＣＨ）、物理制御フォーマットインジケータチャネル（Physical control format indicator channel：ＰＣＦＩＣＨ）、物理ダウンリンク制御チャネル（Physical downlink control channel：ＰＤＣＣＨ）、物理ＨＡＲＱインジケータチャネル（Physical hybrid ARQ indicator channel：ＰＨＩＣＨ）などが規定されている。以下では、混同がない限り、上記のチャネル名において「物理」を省略するものとする。
【０００５】
これらのチャネルのうち、ダウンリンク制御チャネル（ＰＤＣＣＨ）は、スケジューリング割当制御情報及びその他の制御情報を伝送するためのチャネルである。一つの基地局（またはＮｏｄｅ−Ｂ）が、多数のユーザ機器（ＵＥ）（または移動局）を制御するセルラ通信システムでは、複数のＵＥが、基地局から伝送されるＰＤＣＣＨを通じて制御情報を受信することができる。この時、基地局が一時点で伝送できるＰＤＣＣＨの数には制限があるため、各ＵＥにそれぞれ異なるＰＤＣＣＨがあらかじめ割り当てられることはできず、基地局は、各時点で任意のＵＥに任意のＰＤＣＣＨを通じて制御情報を伝送することになる。このため、ＵＥは、ＰＤＣＣＨに含まれたＵＥ識別子を用いて、当該ＰＤＣＣＨを通じて伝送された制御情報が自分に該当するものであるか否かを確認する。この時、各時点で、ＵＥは、（複数の可能なＰＤＣＣＨフォーマットに対する）複数のＰＤＣＣＨに対してそれぞれデコーディング（Decoding）し、そのＰＤＣＣＨが自分に該当すると判断される場合、そのＰＤＣＣＨに含まれる制御情報を受信し制御情報に従って動作する。
【０００６】
しかしながら、ＰＤＣＣＨにおいて制御情報の伝送が可能な組み合わせは極めて多く存在しうる。そのため、ＵＥが全ての場合に対してデコーディングをする上で高い処理能力が要求されることがある。そこで、ＵＥごとにデコーディングすべきＰＤＣＣＨ領域を制限することで、ＵＥがデコーディングすべき回数を減らし、ＵＥの電力消耗を低減することが望まれる。
【発明の概要】
【発明が解決しようとする課題】
【０００７】
本発明は、上記課題を解決するためのもので、その目的は、効率的にダウンリンク制御チャネル（Physical Downlink Control Channel：ＰＤＣＣＨ）を通じて制御情報を送受信する技術を提供することにある。
【０００８】
本発明の他の目的は、各ＵＥ別にそれぞれ異なる探索空間を通じて制御情報を送受信するために、ＵＥ別に探索空間の開始位置を効率的に異ならせる技術を提供することである。
【課題を解決するための手段】
【０００９】
上記の課題を解決するための本発明の一様態では、ユーザ機器（ＵＥ）がダウンリンク制御チャネル（Physical Downlink Control Channel：ＰＤＣＣＨ）を通じて制御情報を受信する方法を提供する。この方法は、基地局から特定サブフレームの制御領域内の少なくとも一つの制御チャネル要素（Control Channel Element：ＣＣＥ）を含むＣＣＥ集合（CCE Aggregation）単位で前記ＰＤＣＣＨを通じて伝送された制御情報を受信する段階と、前記受信した制御情報を前記特定サブフレーム内で探索空間（Search Space）単位でデコーディングする段階と、を含み、ここで、前記所定開始位置としては、入力値に、あらかじめ決定された第１定数値（Ｄ）によるモジュロ演算を行った第１結果値を算定し、数式
【数１】
2011512769.tif 000003
によってあらかじめ決定された第１変数値Ｃによるモジュロ演算を、前記算定した第１結果値に対応する値に行った第２結果値を算定し、前記探索空間は、前記第２結果値に対応するインデックス位置で開始することを特徴とする（ただし、ＮCCEは、前記特定サブフレーム中のＣＣＥの総個数を表し、ＬCCEは、前記ＣＣＥ集合に含まれたＣＣＥの個数を表し、floor(x)は、ｘ以下の最大の整数を表す。）。
【００１０】
一方、上記の課題を解決するための本発明の他様態では、基地局がダウンリンク制御チャネル（Physical Downlink Control Channel）を通じて制御情報を伝送する方法を提供する。この方法は、特定サブフレームの制御領域内の少なくとも一つの制御チャネル要素（Control Channel Element：ＣＣＥ）を含むＣＣＥ集合（CCE Aggregation）単位で前記ＰＤＣＣＨを通じて特定ユーザ機器（ＵＥ）に関する制御情報を伝送する段階を含み、前記特定ユーザ機器に関する制御情報は、前記特定サブフレーム内の探索空間（Search Space）単位で伝送され、入力値に、あらかじめ決定された第１定数値（Ｄ）によるモジュロ演算を行った第１結果値を算定し、数式
【数２】
2011512769.tif 000004
によってあらかじめ決定された第１変数値Ｃによるモジュロ演算を、前記算定した第１結果値に対応する値に行うことによって、第２結果値を算定し、前記探索空間は、前記第２結果値に対応するインデックス位置で開始することを特徴とする。
【００１１】
これらの方法において、前記第１定数値（Ｄ）は、前記第１変数値（Ｃ）よりも大きい値にあらかじめ決定されていることが好ましい。
【００１２】
また、ｋ＋１番目のサブフレームに対する前記入力値は、ｋ番目のサブフレームに対する前記第１結果値に該当するものと設定することが好ましい（ただし、ｋは、負でない整数である。）。
【００１３】
一方、本発明の上記方法では、最初のサブフレームに対する前記入力値に、前記ユーザ機器の識別情報値を用いることができる。
【００１４】
なお、前記第１結果値は、前記入力値に、あらかじめ決定された第２定数値（Ａ）を乗算した後、あらかじめ決定された第３定数値（Ｂ）を加算した値に、前記第１定数値（Ｄ）によるモジュロ演算を行って算定することができる。
【００１５】
この場合、好ましくは、前記第１定数値（Ｄ）、前記第２定数値（Ａ）及び前記第３定数値（Ｂ）はそれぞれ、６５５３７、３９８２７及び０とすることができる。
【００１６】
一方、本発明の一実施形態では、前記特定サブフレームがｋ番目のサブフレームであり、前記第１定数値を「Ｄ」、前記第１変数値を「Ｃ」とする場合、前記ｋ番目のサブフレームで前記探索空間が開始する所定開始位置Ｚkは、数式
【数３】
2011512769.tif 000005
により決定された値に対応するインデックス位置として設定されてもよい。
【００１７】
この場合、前記第１定数値「Ｄ」は６５５３７であり、前記あらかじめ定められた定数値「Ａ」及び「Ｂ」はそれぞれ、３９８２７及び０でありうる。
【００１８】
ここで、前記決定された値に対応するインデックス位置は、前記ＣＣＥ集合単位でインデックスが付与される場合を仮定して前記決定された値に対応するＣＣＥ集合の開始位置に対応してもよい。
【発明の効果】
【００１９】
上記の本発明の実施形態によると、効率的にダウンリンク制御チャネル（Physical Downlink Control Channel：ＰＤＣＣＨ）を通じて制御情報を送受信することが可能になる。
【００２０】
具体的には、ＵＥ別に探索空間の開始位置を効率的に異ならせることができるため、各ＵＥ別にそれぞれ異なるＰＤＣＣＨ探索空間を通じて制御情報を送受信することが可能になる。
【図面の簡単な説明】
【００２１】
【図１】一つのＰＤＣＣＨが伝送されうるＣＣＥ集合の例を示す図である。
【図２】ＣＣＥ集合レベルを考慮してＵＥがデコーディングをすべき全ての場合を示す図である。
【図３】異なる２つのＵＥが、特定のＣＣＥ集合レベル条件の下に、それぞれ異なるデコーディング領域を有する例を示す図である。
【図４】本発明の一実施形態によって識別情報依存乱数を生成する生成器の原理を説明するための図である。
【図５】本発明の一実施形態によって、生成器により生成された二進数列の一部を選択して初期値として用いる例を示す図である。
【図６】本発明の一実施形態によって、生成器により生成された二進数列の一部を選択して初期値として用いる例を示す図である。
【図７】通信システムが周期的に運用される一例を説明するために、３ＧＰＰ ＬＴＥシステムにおけるフレーム構造を示す図である。
【図８】本発明の一実施形態によって、ＰＤＣＣＨ探索空間の開始位置生成のための初期値にＵＥ ＩＤ及びサブフレーム番号を用いる場合に、初期値を構成する方法を説明するための図である。
【図９】本発明の一実施形態によって、ＰＤＣＣＨ探索空間の開始位置生成のための初期値にＵＥ ＩＤ及びサブフレーム番号を用いる場合に、初期値を構成する方法を説明するための図である。
【図１０】それぞれ異なるＣＣＥ集合レベルを有する２つのＵＥ間において、いずれか一方のＵＥが、自体に伝送されるＰＤＣＣＨを、他方のＵＥに伝送されるＰＤＣＣＨによって受信できない場合を説明するための図である。
【図１１】本発明の一実施形態によって、ＰＤＣＣＨ探索空間の開始位置算定のための初期値にＵＥ ＩＤ、サブフレーム番号及びＣＣＥ集合レベルを用いる場合を示す図である。
【図１２】本発明の一実施形態によって、ＰＤＣＣＨ探索空間の開始位置算定のための初期値にＵＥ ＩＤ、サブフレーム番号及びＣＣＥ集合レベルを用いる場合を示す図である。
【図１３】本発明の一実施形態によって、ＰＤＣＣＨ探索空間の開始位置算定のための初期値にＵＥ ＩＤ及びＣＣＥ集合レベルを用いる場合を示す図である。
【図１４】本発明の一実施形態によって、ＰＤＣＣＨ探索空間の開始位置算定のための初期値にＵＥ ＩＤ及びＣＣＥ集合レベルを用いる場合を示す図である。
【図１５】本発明の一実施形態によって、パラメータ値を算定するときに性能判定のために用いられる衝突回数の概念を説明するための図である。
【発明を実施するための形態】
【００２２】
添付図面は、本発明をより良く理解するために包含されており、本発明の実施形態を例示し、明細書の記載と共に本発明の主旨を説明するためのものである。
【００２３】
以下、本発明の好適な実施の形態を、添付の図面を参照しつつ詳細に説明する。添付の図面と共に以下に開示される詳細な説明は、本発明の例示的な実施の形態を示すもので、本発明が実施されうる唯一の実施の形態を示すものではない。以下の詳細な説明は、本発明の完全な理解を提供するために具体的な細部事項を含む。しかし、当業者には、それらの具体的な細部事項がなくても本発明を実施できることが理解される。
【００２４】
一方、場合によっては、本発明の概念が曖昧になることを避けるために公知の構造及び装置は省略したり、各構造及び装置の核心機能を中心にしたブロック図の形式で示したりする。また、本明細書全体を通じて同一の構成要素には同一の図面符号を付して説明する。
【００２５】
上記のように、ＵＥが全てのＰＤＣＣＨ領域をデコーディングする場合、ＵＥの複雑度及びバッテリ消耗が増加するため、各ＵＥ別にＰＤＣＣＨデコーディング領域を特定する必要がある。このために、上記のＰＤＣＣＨが伝送されるリソース領域についてより詳しく調べてみる必要がある。
【００２６】
ＰＤＣＣＨは、少なくとも一つの制御チャネル要素（control channel element；以下、「ＣＣＥ」という。）を含むＣＣＥ集合（CCE Aggregation）を通じて伝送されることがある。また、ＰＤＣＣＨは、１サブフレーム内で複数個が伝送されることがある。ここで、ＣＣＥは、制御情報伝送のためのリソース単位であり、リソース領域で所定個数のリソース要素（Resource Element）の組み合わせに対応する単位のことをいう。このＣＣＥの概念は、本願の出願時において、当該技術分野における通常の知識を有する者には明らかであり、その詳細な説明は省略するものとする。
【００２７】
上記のように、ＰＤＣＣＨ伝送に用いられるＣＣＥ集合の大きさによって、ＰＤＣＣＨのフォーマットを次のように区別することができる。
【００２８】
【表１】
2011512769.tif 000006
【００２９】
図１は、一つのＰＤＣＣＨが伝送されうるＣＣＥ集合の例を示す図である。
【００３０】
図１において、「Total Number of CCEs（物理ＣＣＥの総個数）」は、一つのサブフレームに含まれるＣＣＥの個数を表す。ただし、一つのサブフレームに含まれるＣＣＥの個数はこれに限定されず、システムの要求事項によって変わることがある。一方、図面符号１００は、一つのＰＤＣＣＨが一つのＣＣＥを通じて伝送される形態（表１のＰＤＣＣＨフォーマット１）、図面符号２００は、一つのＰＤＣＣＨが２個のＣＣＥを通じて伝送される形態（表１のＰＤＣＣＨフォーマット２）、図面符号３００は、一つのＰＤＣＣＨが４個のＣＣＥを通じて伝送される形態（表１のＰＤＣＣＨフォーマット３）、そして、図面符号４００は、一つのＰＤＣＣＨが８個のＣＣＥを通じて伝送される形態（表１のＰＤＣＣＨフォーマット４）を表している。
【００３１】
すなわち、図１に示すように、各ＵＥのチャネル環境によって、ＰＤＣＣＨ伝送のために使用するＣＣＥ集合の大きさが異なることがある。以下では、このように一つのＰＤＣＣＨ伝送のために用いられるＣＣＥの個数を、「ＣＣＥ集合レベル（CCE aggregation level）」と称する。したがって、ＵＥがＰＤＣＣＨをデコーディングする場合、各ＵＥは、ＣＣＥ集合レベル別にデコーディング領域の大きさを決定することが要求される。
【００３２】
図２は、ＣＣＥ集合レベルを考慮してＵＥがデコーディングを試みるべきあらゆる場合を示す図である。
【００３３】
図２からわかるように、あるＵＥにとって、システムにおいて設定されたＣＣＥ集合レベルによって、ＰＤＣＣＨ伝送が可能なあらゆる可能性に対してデコーディングを試みるにはその数が多すぎることがある。したがって、ＵＥごとにデコーディングを試みるべき領域（基地局がＵＥにＰＤＣＣＨを伝送した可能性のあるＣＣＥ集合の組み合わせ）をあらかじめ指定することで、各ＵＥがＰＤＣＣＨを受信するためにデコーディングすべき回数を制限することが好ましい。
【００３４】
しかし、ＰＤＣＣＨデコーディング領域を制限する上で留意すべきことは、異なるＵＥがいずれも同一の制限されたＰＤＣＣＨデコーディング領域のみをデコーディングするとすれば、基地局は、全てのＵＥに伝送するＰＤＣＣＨを、当該限定された領域を通じてのみ伝送しなければならず、したがって、使用可能なあらゆるＣＣＥを活用せずに、制限された領域を通じてのみＰＤＣＣＨを伝送するから、ある瞬間において制御可能なＵＥの数が制約されることがあるという点である。
【００３５】
このような制約は、それぞれのＵＥにそれぞれ異なるＰＤＣＣＨデコーディング領域を指定することによって解決可能である。すなわち、互いに重なるＰＤＣＣＨデコーディング領域を有しないＵＥが多ければ多いほど、基地局では多数のＵＥにＰＤＣＣＨを効率的に伝送することができる。
【００３６】
図３は、異なる２つのＵＥが、特定のＣＣＥ集合レベル条件の下に、互いに異なるデコーディング領域を有する例を示す図である。
【００３７】
以下の説明において、各ＵＥがＰＤＣＣＨの受信のためにデコーディングすべき領域を探索空間（Search Space）と称する。図３は、ＵＥ１もＵＥ２もＣＣＥ集合レベル１を有するが、それぞれ異なるデコーディング探索空間を有する例を示している。すなわち、図３に示すように、２つのＵＥのデコーディング探索空間が互いに重ならないため、基地局はＵＥ１及びＵＥ２に同時にＰＤＣＣＨを伝送することができる。
【００３８】
各ＵＥ別に異なる探索空間を有するように設定する方法には、下記の方法がある。
【００３９】
その第一は、各ＵＥ別に異なる探索空間を有するように、各ＵＥ別探索空間がそれぞれ異なる開始点（または、開始位置）を有し、該当の開始点から所定のＣＣＥの個数だけを各ＵＥ別に割り当てる方法である。
【００４０】
その第二は、各ＵＥ別に異なる探索空間を有するように、各ＵＥ別探索空間がそれぞれ異なる開始点を有し、当該開始点から所定個数のＣＣＥが一定の間隔で配置される形態で各ＵＥに割り当てる方法である。
【００４１】
両方法は、ＵＥ別探索空間ごとにそれぞれ異なる開始位置を有している場合は、重なるＰＤＣＣＨデコーディング領域を減らすことができるという点で同一である。したがって、本発明の一実施形態では、上記のように、各ＵＥ別探索空間がそれぞれ異なる開始位置を有するように設定することで、ＰＤＣＣＨ受信のために各ＵＥ別にデコーディングすべき探索空間の重複を最小化することを提案する。このように、ＰＤＣＣＨデコーディング領域の重複が減少すると、基地局ではスケジューリングを通じてより多くのＵＥに同時に制御情報を伝送することができる。
【００４２】
上記のように、ＵＥ別に異なる開始位置値を生成するために、本発明の一実施形態では、各ＵＥを区別できるＵＥ識別番号を用いて開始位置値を生成することを提案する。ＵＥごとに異なる値を生成するほど好ましいので、生成された値（生成された数）を以下では識別情報依存乱数（Identification dependent randomization number）と称する。
【００４３】
図４は、本発明の一実施形態によって識別情報依存乱数を発生する生成器の原理を説明するための図である。
【００４４】
すなわち、本実施形態による生成器４０１に入力値ｘを入力して、生成器４０１の生成パラメータセット｛Ｋ0，Ｋ1，…，ＫL｝による出力値Ｚjまたは出力シーケンス
【数４】
2011512769.tif 000007
を生成することができる。図４では、生成器が用いるパラメータをＬ＋１個とする場合を示しているが、様々なパラメータの個数及び種類を用いることができ、以下、本発明の各実施形態についての説明において詳述する。
【００４５】
生成器４０１によって生成される値は、二進数列（シーケンス）、または、この二進数列を全体的にもしくは部分的に選択して整数値に変換した値とすることができる。
【００４６】
図５及び図６は、本発明の一実施形態によって、生成器により生成された二進数列の一部を選択して初期値に用いる例を示す図である。
【００４７】
すなわち、図５に示すように、図４で説明した生成器４０１により生成される長さＰの二進数列のうち、識別情報依存乱数とするための長さＭの二進値を選択することが可能である。このような実施形態によると、特定の初期値から二進数列を生成した後、複数の識別情報依存乱数を生成することが可能になる。すなわち、図６に示すように、生成器４０１により生成された二進数列から、互いに重ならない限度で、一部の二進数列を選択し、該選択された二進数列から複数の識別情報依存乱数を生成することができる。具体的に、図６は、Ｘ個の識別情報依存乱数を生成する例を示しているが、本発明がこれに限定されない。
【００４８】
一つの識別情報依存乱数を計算するために選択された長さＭの二進数列を
【数５】
2011512769.tif 000008
とする時、これを用いて識別情報依存乱数、すなわち、開始位置情報を、次のように整数値に変換することができる。
【００４９】
［数式１］
【数６】
2011512769.tif 000009
【００５０】
ここで、下付き文字ｋは、サブフレームインデックスを表し、Ｃは、開始位置として可能な候補位置の個数を表す。すなわち、上記数式１は、生成器により生成された二進数列のうち、特定の長さで選択された二進数列を整数値に変換するとともに、可能なあらゆる初期位置の個数「Ｃ」でモジュロ演算を行って開始位置値を生成することを意味する。
【００５１】
具体的に、本発明の一実施形態では、上記数式１のＣ値を、現在受信しようとするＰＤＣＣＨに対して、物理ＣＣＥの総個数を、一つのＰＤＣＣＨの伝送に利用可能なＣＣＥ集合の個数であるＣＣＥ集合レベル（例えば、１、２、４または８）で除算した値を表すように設定することができる。仮に、ＰＤＣＣＨを伝送できる物理ＣＣＥの総個数が、一つのＰＤＣＣＨを構成するＣＣＥの個数で割り切れないと、Ｃ値は、上記の原理に基づいて可能な候補位置の個数に量子化することができる。具体的に、本実施形態では、上記Ｃ値を、下記の数式で求めることを提案する。
【００５２】
［数式２］
【数７】
2011512769.tif 000010
【００５３】
ここで、floor(x)は、ｘ以下の最大の整数に量子化する関数を意味する。また、ＮCCEは、特定サブフレームにおけるＣＣＥの総個数を表し、ＬCCEは、一つのＰＤＣＣＨを伝送するのに用いられるＣＣＥの個数を表す。
【００５４】
一方、図４では、生成器４０１が、周期Ｐを有する生成値を生成するとした。したがって、本発明の一実施形態では、一つの初期入力値を通じて生成された値からＰ個の識別番号依存乱数を生成することを考慮する。すなわち、一回の初期化を通じて生成される二進数列に対して、上記のように、二進数列の選択及び整数化を通じて識別番号依存乱数を生成したり、入力される初期値に対して、直接
【数８】
2011512769.tif 000011
のような総個数Ｐ個の識別番号依存乱数を生成したりすることが可能である。
【００５５】
通信システムは、一般に、定められたタイミングと周期で動作する。
【００５６】
図７は、通信システムが周期的に運用される一例を説明する目的で、３ＧＰＰ ＬＴＥシステムにおけるフレーム構造を示す図である。
【００５７】
すなわち、特定通信システムは、図７に示すように、システムが１０ｍｓの周期で運営され、この１０ｍｓの周期を１無線フレーム（Radio Frame）とすることができる。また、本システムにおいて１無線フレームは１０個の１ｍｓ長のサブフレーム（Subframe）からなる。さらに、各サブフレームは、０．５ｍｓのスロット（Slot）で構成されてもよい。
【００５８】
図７に示す例で、システムが１０ｍｓ周期で運営されるため、識別番号依存乱数を用いてランダム化（Randomization）または乱数化の効果を奏する場合にも、生成された値は１０ｍｓ周期で運営することができる。すなわち、識別番号依存乱数をサブフレームごとに必要とするシステムでは、１０個の数で構成された数列を生成し、１０ｍｓ周期ごとに同一の数列を使用するように設定することができる。または、サブフレームごとに値を１０回生成し、その次の無線フレームには同様の方法で値を生成することで、実質的には同一の識別番号依存乱数が１０ｍｓ周期で生成されるように運営することも可能である。
【００５９】
以下では、本発明の他の実施形態として、ＰＤＣＣＨ検索のための開始位置生成時に、識別番号に基づく初期入力値を用いて開始位置を直接生成して利用する方法について説明する。具体的には、以下において、本発明の好適な一実施形態を第１実施形態とし、それと類似の原理に基づいて具現可能な別の実施形態を、第２乃至第４実施形態として説明する。
【００６０】
第１実施形態
本実施形態では、ＵＥが、特定個数のＣＣＥ単位で伝送されるＰＤＣＣＨを通じて制御情報を受信する際に、制御情報探索のための探索空間の開始位置を、入力値（ｘ）にあらかじめ決定された特定定数値（Ｄ）を用いて第１モジュロ演算を行い、この値に、開始位置として可能な候補開始位置の個数に該当する変数値（Ｃ）を用いてモジュロ演算を行うことによって計算された値とすることを提案する。
【００６１】
具体的に、本実施形態では、次のようにして開始位置を決定することを提案する。
【００６２】
［数式３］
【数９】
2011512769.tif 000012
【００６３】
すなわち、本実施形態では、初期値ｘを入力し、ｘに定数Ａを乗算した後に定数Ｂを加算した値を、定数Ｄ値でモジュロ演算をした後、変数Ｃ値でモジュロ演算をすることで、最終的な整数を探索空間の開始位置値として生成することを提案する。上記数式３から最終的に生成される値Ｚkは、インデックスｋに対応するサブフレームでＰＤＣＣＨ探索空間の開始位置を表す値を意味する。
【００６４】
もし、インデックスｋに対応するサブフレーム以外の別のサブフレームに対する探索空間開始位置を算定しようとする場合、次の２つの方法が可能である。
【００６５】
第一に、サブフレームごとに新しい初期値を入力して値を生成する方法が可能である。すなわち、初期値を、ｘ0，ｘ1，…ｘk，…のようにサブフレームごとに異なる値を入力して、インデックスｋのサブフレームの探索空間の開始位置Ｚkを算定することができる。第二に、初期値を一度入力して生成された中間係数を、再び次のサブフレームに対する初期値として用いて、開始位置値を生成する方式が可能である。すなわち、インデックスｋ−１のサブフレームに対して、ｙk-1値を、インデックスｋのサブフレームに対する入力値として用いることができる。
【００６６】
本実施形態による上記数式３は、上記の第二の方法を用いている。上記数式３で、中間値ｙk-1にあらかじめ決定された定数Ａを乗算した後に定数Ｂを加算し、それに定数Ｄ値でモジュロ演算を行った値をｙk値とすることを表している。
【００６７】
本実施形態において、利用可能な候補開始位置Ｃは、上記数式２と同様に用いることができる。
【００６８】
本実施形態において、上記数式２のように規定されるＣ値によるモジュロ演算を行うことは、出力値が、可能な候補開始位置のうちのいずれか一つとなるようにするためである。ただし、特に、所望の範囲の値を得るためのＣによるモジュロ演算の前にＤによるモジュロ演算をさらに行う理由は、次の通りである。
【００６９】
上記数式３において、「Ａｘ＋Ｂ」値がそれぞれ異なる値を有しても、Ｃ値が小さいと、Ｃによるモジュロ演算から得られた最終的な値は、互いに同一の値になる確率が大きい。したがって、本実施形態のように、あらかじめ決定された定数Ｄ値でさらにモジュロ演算を行うことで、それぞれ異なる「Ａｘ＋Ｂ」値が小さいＣ値によるモジュロ演算により同一になる衝突現象を減少させることができる。また、好適にあらかじめ決定された定数Ｄ値はＣ値よりも大きい値にする方が、上述のそれぞれ異なる「Ａｘ＋Ｂ」値の衝突現象を減少させる面で好ましい。
【００７０】
本実施形態において、最終的に得られるインデックスｋに対応するサブフレームにおいて、探索空間の開始位置Ｚkは、それぞれＣＣＥ集合レベルに対応するＣＣＥ集合に与えられたインデックスによって対応するインデックスを表すと仮定する。すなわち、ＣＣＥ集合レベルが２の場合、ＣＣＥ集合に対するインデックスは２個のＣＣＥ単位で付与され、よって、本実施形態によって得られたＺk値は、上記のように付与されたＣＣＥ集合インデックスに対応するＣＣＥ集合インデックスを指すと仮定する。
【００７１】
第２実施形態
一方、上記第１実施形態とは違い、最終的に得られるインデックスｋに対応するサブフレームで、探索空間の開始位置Ｚkは、ＣＣＥ集合単位で付与されたインデックスではなく各ＣＣＥ別に付与されたインデックスに基づいて、対応するＣＣＥ位置を表すこともできる。すなわち、ＣＣＥ集合レベルが２の場合においても、ＣＣＥ集合に対するインデックスを２個のＣＣＥ単位で付与せずに、各ＣＣＥ単位で付与することができる。したがって、本実施形態では、上記第１実施形態と同じ条件の下に、ＰＤＣＣＨ探索のための探索空間の開始位置を、下記の数式により算定された値とすることを提案する。
【００７２】
［数式４］
【数１０】
2011512769.tif 000013
【００７３】
上記数式４は、第１実施形態による数式３に比べて、最終的に数式３で生成されるＺkに、ＬCCEが乗算された形態を有することがわかる。すなわち、上記数式３によって算定された値に、ＣＣＥ集合レベルによるいずれかのＣＣＥ集合に含まれたＣＣＥの個数（ＬCCE）を乗算することによって、インデックスがそれぞれのＣＣＥ単位で付与されるシステムにおいても適切な探索空間の開始位置を用いることができる。
【００７４】
第３実施形態
上記数式３及び数式４で、ｋは０から始まると仮定している。ただし、場合によって、ｋが−１から始まるように規定することができ、この時、数式３及び数式４は、次のように表現することもできる。
【００７５】
［数式５］
【数１１】
2011512769.tif 000014
【００７６】
［数式６］
【数１２】
2011512769.tif 000015
【００７７】
上記数式５及び数式６で、Ｙ-1＝ｎRNTI≠０であると仮定し、ｎRNTIはＵＥ ＩＤに該当する。
【００７８】
具体的に、上記数式５は、上記数式３でｋが−１から始まる形態に変形して表現したものに該当し、上記数式６は、上記数式４でｋが−１から始まる形態に変形して表現したものに該当する。
【００７９】
第４実施形態
上記第１乃至第３実施形態と異なる方式でＰＤＣＣＨ検索のための探索空間の開始位置を算定する第二の方式であり、本実施形態では下記の数式を用いることを提案する。
【００８０】
［数式７］
【数１３】
2011512769.tif 000016
【００８１】
すなわち、本実施形態では、入力値として、上記数式７に表したような２次生成式を用いて開始位置値を算定することを提案する。この時、入力値は、生成の度に新しい入力値を入力する方法も、ｋ番目の生成で生成された値をｋ＋１番目の生成で用いる方法も可能である。
【００８２】
一方、本発明の好ましい一実施形態では、上記数式７において、Ｄ値を、初期入力値が有しうる最大の値よりも１だけ大きい数、すなわち、初期値が有しうる数の範囲を表す値とすることを提案する。
【００８３】
以上の実施形態において、初期入力値はＵＥ識別情報とした。ただし、本発明の他の側面では、この初期入力値を様々な形態で用いることによって、効率的にＰＤＣＣＨの伝送及び検出がされるようにすることを提案する。
【００８４】
本発明の各実施形態では、基本的に、ある特定の識別番号（identification number；「ＩＤ」と略す。）によってそれぞれ異なる値を生成することを目的とするから、ＩＤによるランダム化（randomization）効果が最大に得られる初期値を選定することが好ましい。
【００８５】
本発明の各実施形態は、ＵＥと基地局間におけるＰＤＣＣＨデコーディング領域のランダム化効果のためのものであり、基地局と基地局間のランダム化効果は考慮する理由がないので、ＵＥ識別番号（例えば、Ｃ−ＲＴＮＩ、臨時−ＲＮＴＩ（temporary-RNTI）等）のようなＵＥを区別するＩＤ値を初期値として選定することができる。特に、下記の情報全部またはそれらの組み合わせで初期値を構成することも可能である。
【００８６】
１．ＵＥ ＩＤ
２．ＣＣＥ集合レベル（ＬCCE）
３．サブフレーム番号（またはスロット番号）
【００８７】
本発明によれば、上記のように、ＩＤ依存乱数（ID dependent random number）を無線フレームタイミングに合わせて数列として生成するとする時、サブフレームごとに異なる初期値を入力して開始位置値を生成することもでき、無線フレームタイミングに合わせて一度開始位置値を生成し、生成された開始位置値または中間係数を用いて新しいＩＤ依存乱数を生成することもできる。
【００８８】
サブフレームごとに初期値を入力してＩＤ依存乱数を各サブフレーム別に生成する方法においては、初期値がサブフレームごとに変更されるととともに、ＵＥごとに異なる値を生成しなければならず、よって、ＵＥ ＩＤとサブフレーム番号（またはそれに相応するスロット番号）を用いて初期値を構成することができる。初期値は、二進数で表現した時、ＵＥ ＩＤとサブフレームを表す番号値が互いに重ならないように構成することが好ましい。
【００８９】
図８及び図９は、本発明の一実施形態によって、ＰＤＣＣＨ探索空間の開始位置生成のための初期値を、ＵＥ ＩＤ及びサブフレーム番号を用いて構成する方法を説明するための図である。
【００９０】
すなわち、図８に示すように、初期値を二進数で表現した時、最下位ビット（Least Significant bit；以下、「ＬＳＢ」という。）側に１６ビットのＵＥ ＩＤを配置し、４ビットのサブフレーム番号を最上位ビット（Most Significant bit; 以下、「ＭＳＢ」という。）側に配置すると仮定して初期値を構成することができる。この時、初期値は、次のように表すことができる。
【００９１】
［数式８］
【数１４】
2011512769.tif 000017
【００９２】
また、図９に示すように、初期値を二進数で表現した時、最上位ビット（ＭＳＢ）側にＵＥ ＩＤを配置し、最下位ビット（ＬＳＢ）側にサブフレーム番号を配置して初期値を表すことができる。この場合、初期値は、次のように表すことができる。
【００９３】
［数式９］
【数１５】
2011512769.tif 000018
【００９４】
ＰＤＣＣＨデコーディング領域をランダム化（randomization）する時には、各ＣＣＥ集合レベル別にランダム化効果が異なることが好ましい。これは、ＣＣＥ集合レベルが異なっても、使用する物理ＣＣＥが同じ場合があるためである。
【００９５】
図１０は、互いに異なるＣＣＥ集合レベルを有する２つのＵＥ間において、いずれか一方のＵＥが、自身に伝送されるＰＤＣＣＨを、他方のＵＥに伝送されるＰＤＣＣＨによって受信できない場合を説明するための図である。
【００９６】
もし、ＣＣＥ集合レベルが異なっていても、ＰＤＣＣＨデコーディングをしなければならない物理ＣＣＥの領域が全ＵＥに対して同一である場合は問題につながりうる。図１０で、例えば、ＵＥ１のために８個のＣＣＥの集合を用いるＰＤＣＣＨを伝送する瞬間に、それと同一のＰＤＣＣＨデコーディング領域がＵＥ２のためにも用いられなければならないとすれば、ＵＥ１のために８個のＣＣＥの集合を用いるＰＤＣＣＨによって、ＵＥ２に伝送しなければならないＰＤＣＣＨデコーディング領域が遮られ、ＵＥ２のためにＰＤＣＣＨを伝送できない場合が生じうるからである。
【００９７】
そこで、本発明の一実施形態では、各ＣＣＥ集合レベルによって異なるＩＤ依存乱数を生成することを提案する。具体的に、これを具現するために、本発明の一実施形態では、各ＣＣＥ集合レベル情報を、ＰＤＣＣＨ探索空間の開始位置算定のための初期値に入力することを提案する。すなわち、初期値を構成する時、ＵＥ ＩＤ、サブフレーム番号及びＣＣＥ集合レベルを用いることができる。
【００９８】
図１１及び図１２は、本発明の一実施形態によって、ＰＤＣＣＨ探索空間の開始位置算定のための初期値に、ＵＥ ＩＤ、サブフレーム番号及びＣＣＥ集合レベルを用いる場合を示す図である。
【００９９】
具体的に、図１１は、ＭＳＢからＬＳＢの方に順にサブフレーム番号、ＣＣＥ集合レベル、そしてＵＥ ＩＤを含むように構成した例を示しており、図１２は、ＭＳＢからＬＳＢの方に順にＵＥ ＩＤ、ＣＣＥ集合レベル、そしてサブフレーム番号を含むように構成した例を示している。これに限定されず、これらの情報を全て含む限り、その配置順序は様々に変更可能である。
【０１００】
また、初期値生成方法において、上記の第１乃至第５実施形態を用いる場合、初期値入力時に、サブフレーム番号を入力せずに、無線フレームタイミングに合わせて生成数列を生成し、サブフレームごとに生成された数列の値を一つずつ使用することも可能である。この場合は、サブフレーム情報が初期値に用いられないので、ＵＥ ＩＤとＣＣＥ集合レベル情報の組み合わせで初期値を構成すればいい。
【０１０１】
図１３及び図１４は、本発明の一実施形態によって、ＰＤＣＣＨ探索空間の開始位置算定時に用いられる初期値に、ＵＥ ＩＤ及びＣＣＥ集合レベルを用いる場合を示す図である。
【０１０２】
図１３は、ＭＳＢからＬＳＢの方に順に、ＣＣＥ集合レベルとＵＥ ＩＤを含み、図１４は、それと逆の配置形態を示しているが、具体的な配置形態はいずれにしてもよい。
【０１０３】
一方、本発明のさらに他の一実施形態では、ＣＣＥ集合レベル別に上記第１乃至第５実施形態で用いた定数Ａ、Ｂ、Ｄ値を可変にすることを提案する。Ｃ値は、状況に応じてＣＣＥ集合レベルの関数で表される可変値であるが、Ａ、Ｂ、Ｄ値は、送受信端間にあらかじめ決定された定数である。しかし、各ＣＣＥ集合レベル別に異なるＩＤ依存乱数パターンを生成するために、Ａ、Ｂ、Ｄ値を、ＣＣＥ集合レベルごとに異なる値が用いられるように設定することができる。
【０１０４】
ここで、特別の実施形態として、上記の第１乃至第４実施形態において、Ａ及びＤ値としてＣＣＥ集合レベルと関係のない固定した定数値を用い、Ｂ値のみをＣＣＥ集合レベル別にそれぞれ定義して用いることができる。こうすると、生成される数列の特性を大きく変化させないながらも、最終的に得られる数列のパターンを各ＣＣＥ集合レベル別に異ならせることができる。
【０１０５】
なお、Ｃ値そのものがＣＣＥ集合レベルによって変更される値であるから、上記の第１乃至第５実施形態では、特に、Ａ、Ｂ、Ｄ値を固定した定数値とし、初期値としてはＵＥ ＩＤのみを用いる方法も可能である。Ｄ値によるモジュロ演算によって、ある程度ランダム化した値が生成され、ＣＣＥ集合レベルによって変更されるＣ値によるモジュロ演算によって、最終的に得られるＩＤ依存乱数の値が異なってくるため、当該実施形態においてＣＣＥ集合レベルによって可変するＡ、Ｂ、Ｄ値を定義する必要がない。
【０１０６】
以下では、上記の第１乃至第５実施形態によるＰＤＣＣＨ探索空間の開始位置を求める生成式のパラメータ値について具体的に説明する。
【０１０７】
生成器のパラメータＡ、Ｂ及びＤに対して、本発明者は、コンピュータを通じて方法ごとに良い係数を探した。ここでいう良い係数は、次のように定義され、次に述べる各探索基準（search criterion）に最も良い係数を提案する。
【０１０８】
ＰＤＣＣＨデコーディング領域のＣＣＥ集合レベル別にデコーディングする開始位置を、ＩＤ依存乱数によって求める。また、このようなＰＤＣＣＨデコーディング領域は、基地局とＵＥ間で同期化（synchronization）がなされるべきであり、また、該当基地局と通信をする全てのＵＥ間でも、ＩＤ依存乱数が生成される周期とタイミングが同期化されなければならない。結果として、それぞれ異なるＵＥ ＩＤを持っているＵＥ間においてサブフレームごとに用いられるＩＤ依存乱数が異なれば、ＰＤＣＣＨデコーディング領域が重なることを最小化することができる。これは、それぞれ異なるＵＥ ＩＤで生成されたＩＤ依存乱数数列中に同じ数があるとしても、特定値が用いられる該当のサブフレームでのみ異なればランダム化効果を奏することができるということを意味する。
【０１０９】
各パラメータ値による性能の判別基準の一つとして、本発明の一実施形態では「衝突回数（Number of Hits）」の概念を定義する。衝突回数は、それぞれ異なるＵＥ ＩＤを持つＵＥが、無線フレームに合わせてＩＤ依存乱数を生成し、各サブフレームで使用されたＩＤ依存乱数を比較して、いくつのサブフレームで同じ値を使用したかを記録した値である。したがって、割り当て可能な全てのＵＥ ＩＤに対して、可能な全ての異なるＵＥ ＩＤ間で衝突回数分布を測定し、確率的に特定生成方法を使用した時の衝突回数の分布を、性能基準の一つに設定した。
【０１１０】
図１５は、本発明の一実施形態によってパラメータ値を算定する時、性能判定のために用いられる衝突回数の概念を説明するための図である。
【０１１１】
すなわち、図１５に示すように、３ＧＰＰ ＬＴＥシステムにおいて、一つの無線フレームには１０個のサブフレームが存在するので、サブフレームインデックス０，１，…，１０まで可能な衝突回数を判定し、これを、異なる２つのＵＥ ＩＤを持つＵＥが、同じＰＤＣＣＨデコーディング領域を使用する確率として用いることによって、性能判定の基準とすることを提案する。
【０１１２】
一方、他の性能判定の基準として、本発明の一実施形態では、特定パラメータＡ、Ｂ及びＤを用いて該当の生成方法によって入力可能な全ての初期値として生成されうるＩＤ依存乱数の値そのものに対する分布図を考慮することを提案する。本発明で提案する全ての生成方法で生成された識別番号依存乱数は、０〜Ｃ−１の範囲の値である。したがって、入力可能な全ての初期値に対して０〜Ｃ−１の範囲の整数値が生成される分布を測定し、全ての値が最も均等な確率で生成されたか確認し、この均等性を性能判定の基準とすることを提案する。
【０１１３】
本実施形態では、性能結果から次のような性能指標を選定した。各生成方法で特定パラメータを使用した時、次のような指標を算定して比較した。ここで、指標のそれぞれについて、Ｃ値が９６から３まで変わる場合に測定された値の平均が決定される。
【０１１４】
１．最大衝突回数（Maximum number of hit）
２．平均衝突回数（average number of hits）
３．ＩＤ依存乱数が０〜Ｃ−１の範囲で均等に生成されたか否か、及び
４．ＩＤ依存乱数が０〜Ｃ−１の範囲で均等に分布したかを知るための０〜Ｃ−１値の範囲の値が生成される確率の分散（variance）値
【０１１５】
上記の説明に基づき、以下では、まず、上記第１実施形態によるＰＤＣＣＨ探索空間の開始位置を生成する方法におけるパラメータ値について説明する。
【０１１６】
上記第１実施形態による生成方法において、送受信側にあらかじめ決定されて用いられる定数値Ａ、Ｂ及びＤの値として可能な値は様々である。したがって、可能な全てのＡ、Ｂ及びＤの値に対してコンピュータで性能を測定することは困難である。したがって、一般的に、良い性能を示すＡ、Ｂ、及びＤ値をまずコンピュータで確認し、これに基づいてＡ、Ｂ及びＤの特定の組み合わせについて具体的に性能を比較した。
【０１１７】
まず、Ｄ値は、コンピュータによる性能測定結果によれば、ＡとＢを任意の値に固定した状態で初期値ｘが表現可能な最大値に類似する値である時、性能が最も良かった。下記の表２に表した結果は、初期値としてＵＥ ＩＤのみを用いて上記第１実施形態による方法によりそれぞれ異なるＵＥ ＩＤに対して生成される数列の各サブフレームにおいて同一になる確率を表した性能測定結果の一部分である。ＵＥ ＩＤは、１６ビットで構成されており、これは、２16＝６５５３６個の値に該当する。
【０１１８】
【表２】
2011512769.tif 000019
【０１１９】
上記表２に示すように、Ｄ値が初期値２16と同一の時に１０個のサブフレームに対して全部衝突する、すなわち、ＵＥ−ＩＤが同一になる確率６．４２９％が、Ｃ値が１６の時に生成される。しかし、Ｄ値が２16よりも大きい時には、このような現象はなくなり、２16より大きい６５５３７値と１３１０７１値では、このような現象がなくなることが確認できる。しかし、初期値よりも大きい値を選定する場合には、再びこのような良くない性能が示される。すなわち、このような結果は、Ｄ値が１０４８５７６、１０４８５９３の時に再び現れ、Ｄ値が２０９７１４３の時にはたとえ良くなるものの、２16よりも大きく且つ２16近傍の値をＤとした時に比べて性能は全般的に落ちる。
【０１２０】
これに着目して、本発明の一実施形態では、初期値がＮビットで表現される時、パラメータＤ値を、２Nよりも大きく且つ２(N+1)よりも小さい素数とすることを提案する。好ましくは、２Nより大きい最小の素数を用いることを提案する。代表的に、Ｎ＝１６の時には、２16＋１をＤ値とすることを提案し、Ｎ＝１８の時には２18＋３、Ｎ＝２０の時には２20＋７、Ｎ＝２２の時は２22＋１５を提案する。Ｄ値をより小さい値にする方が、具現上より簡単になり、よって、性能を満たす限度で最も小さい値を提案するわけである。
【０１２１】
一般的に、生成式の初期値は１６ビットのＵＥ ＩＤを用いるとした場合、結論的に、本発明の第１実施形態による開始位置生成式におけるパラメータＤは６５５３７とすることを提案する。
【０１２２】
一方、パラメータＢ値を選定するために、Ｄ値を固定した状態で様々なＡ値と様々なＢ値を用いて性能測定をした。その結果、パラメータＢ値は、パラメータＤとパラメータＡが素数の時には、生成された値が０〜Ｃ−１の範囲にある各値によって生成される確率的な分布の分散、平均衝突回数、そして最大衝突回数に大きな影響は与えないことが確認できた。このような様々な性能測定結果の一部を、下記の表３に表した。
【０１２３】
【表３】
2011512769.tif 000020
【０１２４】
したがって、本発明の一実施形態では、Ｄ値とＡ値を素数に設定し、パラメータＢ値は、非常に小さい整数または０に設定することを提案する。Ｂ値が０または０に近接する場合には、計算量の側面で複雑度を減らすことができる。
【０１２５】
結論的に、本発明の好ましい一実施形態では、上記第１実施形態の生成式においてパラメータＢ値を０に設定することを提案する。
【０１２６】
一方、パラメータＡ値を選定するために、性能に大きい影響を与えないと判断されるＢ値を任意の値に固定し、初期値によって良い性能を示したＤ値を固定し、Ｄよりも小さい可能な素数をＡに入力して性能を測定した。このような性能測定結果の一部を、下記の表４に表した。
【０１２７】
【表４】
2011512769.tif 000021
【０１２８】
上記表４は、最大衝突回数が最も小さい値を優先して整列し、その次に平均衝突回数に従って整列した。すなわち、上記表４において上側に位置する値Ａが、性能指標において最も良い性能を示す値であり、本発明の一実施形態では、上記表４で「…」で表示された部分より上の値のうちのいずれかをＡ値とすることを提案する。特に、本発明の好ましい一実施形態は、上記表４の１番目の行に表示された３９８２７をＡ値とすることを提案する。
【０１２９】
結論的に、本発明の好ましい一実施形態では、本発明の第１実施形態による生成式におけるパラメータＡ、Ｂ及びＤ値を３９８２７、０及び６５５３７とすることを提案する。ただし、システムの要求条件によって別のパラメータを用いなければならない場合、下記の値から選択されたいずれかを用いることができる。
【０１３０】
【表５】
2011512769.tif 000022
【０１３１】
一方、上記の第２乃至第４実施形態によるＰＤＣＣＨ探索空間の開始位置算定式は、上記の第１実施形態とその意味において実質的に同一である。したがって、第２乃至第４実施形態についてもＡ、Ｂ及びＤのパラメータ値を３９８２７、０及び６５５３７とすることを提案する。この場合も同様、システムの要求条件によって別のパラメータを用いなければならない場合、上記の表５に表すパラメータを使用すればよい。
【０１３２】
一方、本発明の第５実施形態で用いられる生成式におけるパラメータも同様、上記の方法と類似の方式によって決定することができる。本発明者は、上記第５実施形態による生成式におけるパラメータに対しても、様々な性能基準を測定した。その結果、次のようなパラメータの組み合わせを用いることを提案する。
【０１３３】
【表６】
2011512769.tif 000023
【０１３４】
上記のように開示された本発明の好適な実施形態についての詳細な説明は、当業者が本発明を具現し実施できるように提供された。以上では本発明を好適な実施形態を参照して説明してきたが、該当技術分野における熟練した当業者には、添付の特許請求の範囲に記載された本発明の思想及び領域を逸脱しない範囲内で本発明を様々に修正及び変更できるということが理解される。
【０１３５】
したがって、本発明は、ここに開示された実施形態に制限されるものではなく、ここに開示された原理及び新規の特徴と一致する最も広い範囲を有するものである。
【産業上の利用可能性】
【０１３６】
以上の実施形態についての説明は、３ＧＰＰ ＬＴＥ方式システムの他に、ＵＥ別ダウンリンク制御チャネルを伝送しなければならない様々なシステムに適用することができる。
【図１】
2011512769.tif 000028
【図２】
2011512769.tif 000029
【図３】
2011512769.tif 000030
【図４】
2011512769.tif 000031
【図５】
2011512769.tif 000032
【図６】
2011512769.tif 000033
【図７】
2011512769.tif 000034
【図８】
2011512769.tif 000035
【図９】
2011512769.tif 000036
【図１０】
2011512769.tif 000037
【図１１】
2011512769.tif 000038
【図１２】
2011512769.tif 000039
【図１３】
2011512769.tif 000040
【図１４】
2011512769.tif 000041
【図１５】
2011512769.tif 000042
【手続補正書】
【提出日】平成22年8月19日(2010.8.19)
【手続補正１】
【補正対象書類名】特許請求の範囲
【補正対象項目名】全文
【補正方法】変更
【補正の内容】
【特許請求の範囲】
【請求項１】
ユーザ機器がダウンリンク制御チャネルを通じて制御情報を受信する方法であって、
基地局から、特定サブフレームの制御領域内の少なくとも一つの制御チャネル要素を含むＣＣＥ集合単位で前記ダウンリンク制御チャネルを通じて伝送された制御情報を受信する段階と、
前記受信した制御情報を、前記特定サブフレームで所定開始位置を有する探索空間単位でデコーディングする段階と、を含み、
前記所定開始位置は、複数の候補開始位置のうち、特定インデックスを用いて決定された一つの開始位置であり、
前記特定インデックスは、
（第１結果値）ｍｏｄ（第１変数値「Ｃ」）
と表される第１モジュロ演算を通じて決定され、
前記第１変数値「Ｃ」は、前記複数の候補開始位置の個数に対応し、
前記第１結果値は、所定規則によって定められる整数値である入力値及び第１定数値「Ｄ」を用いて、
（前記入力値）ｍｏｄ（前記第１定数値「Ｄ」）
と表される第２モジュロ演算を通じて決定される、制御情報受信方法。
【請求項２】
前記第１定数値「Ｄ」は、前記第１変数値「Ｃ」よりも大きい値にあらかじめ決定されている、請求項１に記載の制御情報受信方法。
【請求項３】
「ｋ＋１」番目のサブフレームに対する前記入力値は、ｋ番目のサブフレームに対する前記第１結果値に該当し、ｋは負でない整数である、請求項１に記載の制御情報受信方法。
【請求項４】
最初のサブフレームに対する前記入力値は、前記ユーザ機器の識別情報値を用いる、請求項１に記載の制御情報受信方法。
【請求項５】
前記特定サブフレームはｋ番目のサブフレームであり、
前記探索空間は、前記ｋ番目のサブフレーム内で開始位置「Ｚk」で表された前記開始位置から始まり、
前記開始位置「Ｚk」は、第１数式
【数１】
2011512769.tif 000043
によるインデックス位置として決定され、
「Ａ」及び「Ｂ」はそれぞれあらかじめ定められた定数値を表し、「ｋ」はサブフレームインデックスを表し、そして、「ｙk」は前記ｋ番目のサブフレームの前記第１結果値を表し、
「ｙk」は、第２数式
【数２】
2011512769.tif 000044
により決定され、
「ｙk-1」は、前記ｋ番目のサブフレームの前記入力値であり、前記ユーザ機器の識別情報値は、第１サブフレームの前記入力値に用いられる、請求項１に記載の制御情報受信方法。
【請求項６】
前記第１定数値「Ｄ」は６５５３７であり、前記あらかじめ定められた定数値「Ａ」は３９８２７であり、前記あらかじめ定められた定数値「Ｂ」は０である、請求項５に記載の制御情報受信方法。
【請求項７】
前記インデックス位置は、ＣＣＥ集合単位でインデックスが付与された状態で特定ＣＣＥ集合の開始位置に対応する、請求項５に記載の制御情報受信方法。
【請求項８】
基地局がダウンリンク制御チャネルを通じて制御情報を伝送する方法であって、
特定サブフレームの制御領域内の少なくとも一つの制御チャネル要素を含むＣＣＥ集合単位で前記ダウンリンク制御チャネルを通じて特定ユーザ機器に関する制御情報を伝送する段階を含み、
前記特定ユーザ機器に関する制御情報は、前記特定サブフレームで所定開始位置を有する探索空間単位で伝送され、
前記所定開始位置は、複数の候補開始位置のうち、特定インデックスを用いて決定される一つの開始位置であり、
前記特定インデックスは、
（第１結果値）ｍｏｄ（第１変数値「Ｃ」）と表される第１モジュロ演算を通じて決定され、
前記第１変数値「Ｃ」は、前記複数の候補開始位置の個数に対応し、
前記第１結果値は、所定規則によって定められる整数値である入力値及び第１定数値「Ｄ」を用いて、
（前記入力値）ｍｏｄ（前記第１定数値「Ｄ」）
と表される第２モジュロ演算を通じて決定される、制御情報伝送方法。
【請求項９】
前記第１定数値「Ｄ」は、前記第１変数値「Ｃ」よりも大きい値にあらかじめ決定されている、請求項８に記載の制御情報伝送方法。
【請求項１０】
「ｋ＋１」番目のサブフレームに対する前記入力値は、ｋ番目のサブフレームに対する前記第１結果値に該当し、ｋは負でない整数である、請求項８に記載の制御情報伝送方法。
【請求項１１】
最初のサブフレームに対する前記入力値は、前記ユーザ機器の識別情報値を用いる、請求項１０に記載の制御情報伝送方法。
【請求項１２】
前記特定サブフレームはｋ番目のサブフレームであり、
前記探索空間は、前記ｋ番目のサブフレーム内で開始位置「Ｚk」で表された前記開始位置から始まり、
前記開始位置「Ｚk」は、第１数式
【数３】
2011512769.tif 000045
によるインデックス位置として決定され、
「Ａ」及び「Ｂ」はそれぞれあらかじめ定められた定数値を表し、「ｋ」はサブフレームインデックスを表し、そして、「ｙk」は前記ｋ番目のサブフレームの前記第１結果値を表し、
「ｙk」は、第２数式
【数４】
2011512769.tif 000046
により決定され、
「ｙk-1」は、前記ｋ番目のサブフレームの前記入力値であり、前記ユーザ機器の識別情報値は、第１サブフレームの前記入力値に用いられる、請求項８に記載の制御情報伝送方法。
【請求項１３】
前記第１定数値「Ｄ」は６５５３７であり、前記あらかじめ定められた定数値「Ａ」は３９８２７であり、前記あらかじめ定められた定数値「Ｂ」は０である、請求項１２に記載の制御情報伝送方法。
【請求項１４】
前記インデックス位置は、ＣＣＥ集合単位でインデックスが付与された状態で特定ＣＣＥ集合の開始位置に対応する、請求項１２に記載の制御情報伝送方法。
【請求項１５】
前記第１結果値は、
前記第１結果値＝（Ａ＊前記入力値＋Ｂ）ｍｏｄ（Ｄ）
によって決定され、
「Ａ」は第２定数値であり、「Ｂ」は第３定数値であり、
前記第１変数値「Ｃ」は、
【数５】
2011512769.tif 000047
によって決定され、
「ＮCCE」は、前記特定サブフレームにおけるＣＣＥの総個数を表し、「ＬCCE」は、前記ＣＣＥ集合に含まれるＣＣＥの個数を表し、「floor(x)」は、「ｘ」以下の最大の整数を決定する関数を表す、請求項１に記載の制御情報受信方法。
【請求項１６】
前記第１定数値「Ｄ」は６５５３７であり、前記第２定数値「Ａ」は３９８２７であり、前記第３定数値「Ｂ」は０である、請求項１５に記載の制御情報受信方法。
【請求項１７】
前記第１結果値は、
前記第１結果値＝（Ａ＊前記入力値＋Ｂ）ｍｏｄ（Ｄ）
によって決定され、
「Ａ」は第２定数値であり、「Ｂ」は第３定数値であり、
前記第１変数値「Ｃ」は、
【数６】
2011512769.tif 000048
によって決定され、
「ＮCCE」は、前記特定サブフレームにおけるＣＣＥの総個数を表し、「ＬCCE」は、前記ＣＣＥ集合に含まれるＣＣＥの個数を表し、「floor(x)」は、「ｘ」以下の最大の整数を決定する関数を表す、請求項８に記載の制御情報伝送方法。
【請求項１８】
前記第１定数値「Ｄ」は６５５３７であり、前記第２定数値「Ａ」は３９８２７であり、前記第３定数値「Ｂ」は０である、請求項１７に記載の制御情報伝送方法。
【国際調査報告】
2011512769.tif 000049